(57)【要約】【課題】振動素子から伝わる振動に差異が生じることを抑制しつつ、振動素子からの振動を効率良く伝えることを可能としたタッチパネル付き表示装置を提供する。【解決手段】表示パネル２とタッチパネル３とを互いに重ね合わせた状態で収容する正面側ケース４と、正面側ケース４と一体に組み合わされる背面側ケース５と、正面側ケース４に取り付けられて、タッチパネル３の操作に応じて正面側ケース４を振動させる振動素子６と、正面側ケース４から背面側ケース５へと伝わる振動を抑制する防振機構８とを備え、防振機構８は、正面側ケース４と背面側ケース５との間に介在される複数の弾性板１４を有し、複数の弾性板１４は、正面側ケース４と背面側ケース５との間に撓み変形可能な状態で取り付けられることによって、背面側ケース５に対して正面側ケース４を接離可能な方向に変位自在に支持している。【選択図】図３
2019204201.tif 000002
【特許請求の範囲】
【請求項１】
表示パネルとタッチパネルとを互いに重ね合わせた状態で収容する正面側ケースと、
前記正面側ケースと一体に組み合わされる背面側ケースと、
前記正面側ケースに取り付けられて、前記タッチパネルの操作に応じて前記正面側ケースを振動させる振動素子と、
前記正面側ケースから前記背面側ケースへと伝わる振動を抑制する防振機構とを備え、
前記防振機構は、前記正面側ケースと前記背面側ケースとの間に介在される複数の弾性板を有し、
前記複数の弾性板は、前記正面側ケースと前記背面側ケースとの間に撓み変形可能な状態で取り付けられることによって、前記背面側ケースに対して前記正面側ケースを接離可能な方向に変位自在に支持していることを特徴とするタッチパネル付き表示装置。
【請求項２】
前記防振機構は、前記正面側ケースに前記弾性板の中央部が固定される第１の固定部と、前記背面側ケースに前記弾性板の両端部が固定される一対の第２の固定部とを有し、
前記複数の弾性板は、前記第１の固定部と前記第２の固定部との間で折り曲げられた形状を有することを特徴とする請求項１に記載のタッチパネル付き表示装置。
【請求項３】
前記振動素子が取り付けられた振動板を備え、
前記振動板は、前記正面側ケースの背面側に懸架された状態で取り付けられていることを特徴とする請求項１又は２に記載のタッチパネル付き表示装置。
【請求項４】
前記振動素子は、前記振動板の中央付近に配置されていることを特徴とする請求項３に記載のタッチパネル付き表示装置。
【請求項５】
前記背面側ケースに取り付けられて、前記振動素子とケーブルを介して電気的に接続される回路基板を備えることを特徴とする請求項１〜４の何れか一項に記載のタッチパネル付き表示装置。
【発明の詳細な説明】
【技術分野】
【０００１】
本発明は、タッチパネル付き表示装置に関する。
【背景技術】
【０００２】
従来より、表示パネルとタッチパネルとを備え、表示パネルに表示された画像に合わせて、タッチパネルを操作することにより、各種の入力を可能としたタッチパネル付き表示装置がある（例えば、下記特許文献１を参照。）。また、タッチパネル付き表示装置の中には、タッチパネルの操作に応じて振動（触感）を発生させる振動素子を備えたものがある。
【先行技術文献】
【特許文献】
【０００３】
【特許文献１】特開２００８−２８７４０２号公報
【発明の概要】
【発明が解決しようとする課題】
【０００４】
ところで、上述したタッチパネル付き表示装置では、振動素子の配置に制約があり、この振動素子からの振動を効率良く伝えることができずに振動ムラが生じてしまうことがあった。
【０００５】
また、従来のタッチパネル付き表示装置は、表示パネル及びタッチパネルを収容する正面側ケースと、正面側ケースと一体に組み合わされる背面側ケースとを備えている。また、振動素子が取り付けられた正面側ケースから固定側となる背面側ケースへと伝わる振動を抑制するため、正面側ケースと背面側ケースとの間に複数のゴムブッシュを配置することが行われている。
【０００６】
しかしながら、このようなゴムブッシュを用いた場合、温度変化に対してゴムブッシュの硬度（弾性）が変化するため、振動素子から伝わる振動に差異が生じてしまうことがあった。
【０００７】
本発明は、このような従来の事情に鑑みて提案されたものであり、振動素子から伝わる振動に差異が生じることを抑制しつつ、振動素子からの振動を効率良く伝えることを可能としたタッチパネル付き表示装置を提供することを目的とする。
【課題を解決するための手段】
【０００８】
上記目的を達成するために、本発明は以下の手段を提供する。
〔１〕  表示パネルとタッチパネルとを互いに重ね合わせた状態で収容する正面側ケースと、
前記正面側ケースと一体に組み合わされる背面側ケースと、
前記正面側ケースに取り付けられて、前記タッチパネルの操作に応じて前記正面側ケースを振動させる振動素子と、
前記正面側ケースから前記背面側ケースへと伝わる振動を抑制する防振機構とを備え、
前記防振機構は、前記正面側ケースと前記背面側ケースとの間に介在される複数の弾性板を有し、
前記複数の弾性板は、前記正面側ケースと前記背面側ケースとの間に撓み変形可能な状態で取り付けられることによって、前記背面側ケースに対して前記正面側ケースを接離可能な方向に変位自在に支持していることを特徴とするタッチパネル付き表示装置。
〔２〕  前記防振機構は、前記正面側ケースに前記弾性板の中央部が固定される第１の固定部と、前記背面側ケースに前記弾性板の両端部が固定される一対の第２の固定部とを有し、
前記複数の弾性板は、前記第１の固定部と前記第２の固定部との間で折り曲げられた形状を有することを特徴とする前記〔１〕に記載のタッチパネル付き表示装置。
〔３〕  前記振動素子が取り付けられた振動板を備え、
前記振動板は、前記正面側ケースの背面側に懸架された状態で取り付けられていることを特徴とする前記〔１〕又は〔２〕に記載のタッチパネル付き表示装置。
〔４〕  前記振動素子は、前記振動板の中央付近に配置されていることを特徴とする前記〔３〕に記載のタッチパネル付き表示装置。
〔５〕  前記背面側ケースに取り付けられて、前記振動素子とケーブルを介して電気的に接続される制御基板を備えることを特徴とする前記〔１〕〜〔４〕の何れか一項に記載のタッチパネル付き表示装置。
【発明の効果】
【０００９】
以上のように、本発明によれば、振動素子から伝わる振動に差異が生じることを抑制しつつ、振動素子からの振動を効率良く伝えることを可能としたタッチパネル付き表示装置を提供することが可能である。
【図面の簡単な説明】
【００１０】
【図１】本発明の一実施形態に係るタッチパネル付き表示装置の外観を示す斜視図である。
【図２】図１中に示す線分Ａ−Ａによるタッチパネル付き表示装置の断面図である。
【図３】図１中に示す線分Ｂ−Ｂによるタッチパネル付き表示装置の断面図である。
【発明を実施するための形態】
【００１１】
以下、本発明の実施形態について、図面を参照して詳細に説明する。
なお、以下の説明で用いる図面においては、各構成要素を見やすくするため、構成要素によって寸法の縮尺を異ならせて示すことがあり、各構成要素の寸法比率などが実際と同じであるとは限らない。
【００１２】
本発明の一実施形態として、例えば図１、図２及び図３に示すタッチパネル付き表示装置１について説明する。
なお、図１は、タッチパネル付き表示装置１の外観を示す斜視図である。図２は、図１中に示す線分Ａ−Ａによるタッチパネル付き表示装置１の断面図である。図３は、図１中に示す線分Ｂ−Ｂによるタッチパネル付き表示装置１の断面図である。
【００１３】
また、以下に示す図面では、ＸＹＺ直交座標系を設定し、Ｘ軸方向をタッチパネル付き表示装置１の水平面内における長手方向（長さ方向）、Ｙ軸方向をタッチパネル付き表示装置１の水平面内における短手方向（幅方向）、Ｚ軸方向をタッチパネル付き表示装置１の水平面内と直交する鉛直方向（高さ方向）として、それぞれ示すものとする。
【００１４】
本実施形態のタッチパネル付き表示装置１は、図１、図２及び図３に示すように、表示パネル２と、タッチパネル３と、正面側ケース４と、背面側ケース５と、振動素子６と、制御基板７と、防振機構８とを備えている。
【００１５】
表示パネル２は、画像を表示するものである。本実施形態では、表示パネル２として、例えば液晶表示パネル（ＬＣＤ）を用いている。なお、表示パネル２には、上述した液晶表示パネル以外にも、例えば有機エレクトロルミネッセンス（ＥＬ）表示パネル（ＯＬＥＤ）などを用いることができる。表示パネル２は、全体として略矩形平板状を為して、正面側ケース４の正面側にネジ止め等により取り付けられている。
【００１６】
タッチパネル３は、表示パネル２に表示された画像に合わせて、画面を操作することによって各種の入力を行うものである。本実施形態では、タッチパネル３として、例えば静電容量式のタッチパネル（ＣＴＰ）を用いている。なお、タッチパネル３には、上述した静電容量式以外にも、例えば抵抗膜方式などの別の方式のものを用いることができる。
【００１７】
タッチパネル３は、全体として略矩形平板状を為すと共に、表示パネル２よりも大きい外形を有している。タッチパネル３は、表示パネル２とクッション材９を介して重ね合わされた状態で、正面側ケース４の正面側に両面テープなどの接着材１０を介して取り付けられている。
【００１８】
正面側ケース４は、背面側ケース５と共に本体ケース１１を構成するものであり、例えばプラスチックなどの樹脂成形体からなる。正面側ケース４は、互いに重ね合わせた表示パネル２とタッチパネル３とを収容するように、全体として略矩形枠状に形成されている。
【００１９】
背面側ケース５は、正面側ケース４と共に本体ケース１１を構成するものであり、例えばプラスチックなどの樹脂成形体からなる。背面側ケース５は、正面側ケース４と一体に組み合わされるように、全体として略矩形箱状に形成されている。また、背面側ケース５は、正面側ケース４よりも小さい外形を有して、正面側ケース４の背面側から正面側ケース４の内側へと嵌め込むことが可能となっている。
【００２０】
振動素子６は、タッチパネル３の操作に応じて正面側ケース４を振動（触感）させるものであり、例えば、リニアバイブレータ（ＬＲＡ）や、ボイスコイルモーター（ＶＣＭ）、ピエゾ（圧電）素子、偏心モーター（ＥＲＭ）などからなる。振動素子６は、正面側ケース４の背面側に振動板１２を介して取り付けられている。振動板１２は、例えば、ステンレス鋼（ＳＵＳ）やアルミニウム、ニッケル合金等の金属、又は樹脂などからなり、正面側ケース４の短手方向の寸法に合わせて、略矩形平板状に形成されている。
【００２１】
振動板１２は、正面側ケース４の背面側の略中央部において短手方向に懸架された状態で、正面側ケース４にネジ止め等により取り付けられている。振動素子６は、この振動板１２の中央付近（表示パネル２の背面側の略中央部）に配置されている。また、背面側ケース５の略中央部には、振動板１２に取り付けられた振動素子６を外部に露出させる開口部５ａが設けられている。
【００２２】
制御基板７は、振動素子６の駆動を制御する駆動回路等が設けられた回路基板からなる。制御基板７は、背面側ケース５にネジ止め等により取り付けられている。また、制御基板７は、ケーブル１３を介して振動素子６と電気的に接続されている。
【００２３】
防振機構８は、正面側ケース４から背面側ケース５へと伝わる振動を抑制する（防振する）のものである。具体的に、この防振機構８は、正面側ケース４と背面側ケース５との間に介在される複数（本実施形態では４つ）の弾性板１４を有している。
【００２４】
複数の弾性板１４は、本体ケース１１内の四隅に位置して、それぞれ正面側ケース４と背面側ケース５との間に撓み変形可能な状態で取り付けられている。これにより、各弾性板１４は、背面側ケース５に対して正面側ケース４を接離可能な方向（Ｚ軸方向）に変位自在に支持している。
【００２５】
弾性板１４には、撓み変形について温度変化による影響を受けにくい材質のものを用いることが好ましい。そのような弾性板１４の材料としては、例えば、ステンレス鋼（ＳＵＳ）やリン青銅、アルミニウム、鉄、ニッケル合金等の金属、又は樹脂などを挙げることができる。弾性板１４は、このような材料を用いて、略矩形平板状に形成されている。
【００２６】
また、防振機構８は、正面側ケース４に各弾性板１４の中央部が固定される第１の固定部１５と、背面側ケース５に各弾性板１４の両端部が固定される一対の第２の固定部１６ａ，１６ｂとを有している。
【００２７】
第１の固定部１５は、正面側ケース４の背面側から背面側ケース５の内側に向かって突出されたボスからなる。ボスには、ネジ穴（図示せず。）が設けられている。一方、一対の第２の固定部１６ａ，１６ｂは、それぞれ背面側ケース５の正面側から正面側ケース４の内側に向かって突出されたボスからなる。ボスには、ネジ穴（図示せず。）が設けられている。
【００２８】
各弾性板１４は、第１の固定部１５と第２の固定部１６ａ，１６ｂとの間で略直角に折り曲げられた屈曲形状を有して、第１の固定部１５及び第２の固定部１６ａ，１６ｂ（ボスの先端）にネジ止めにより取り付けられている。防振機構８では、このような弾性板１４の固定構造を採用することで、ケース本体１１の高さを抑えて、このタッチパネル付き表示装置１の薄型化を図ることが可能である。
【００２９】
以上のような構成を有する本実施形態のタッチパネル付き表示装置１では、上述した正面側ケース４と背面側ケース５との間に撓み変形可能な状態で取り付けられた弾性板１４を用いている。
【００３０】
これにより、振動素子６が取り付けられた可動側となる正面側ケース４から、制御基板７が取り付けられた固定側となる背面側ケース５へと伝わる振動を抑制することが可能である。また、振動素子６から伝わる振動により制御基板７等が悪影響を受けることを防ぐことが可能である。
【００３１】
また、本実施形態のタッチパネル付き表示装置１では、上述した弾性板１４に温度変化等による影響を受けにくい材質のものを用いることで、温度変化等により振動素子６から伝わる振動に差異が生じることを抑制することが可能である。
【００３２】
また、本実施形態のタッチパネル付き表示装置１では、上述した正面側ケース４に懸架された状態で取り付けられた振動板１２の中央付近に振動素子６を配置することで、この振動素子６からの振動を効率良く且つ均一に正面側ケース４へと伝えることが可能である。これにより、従来よりも小型の振動素子６を用いることも可能である。
【００３３】
以上のように、本実施形態のタッチパネル付き表示装置１では、温度変化等により振動素子６から伝わる振動に差異が生じることを抑制しつつ、振動素子６からの振動を効率良く伝えることが可能である。
【００３４】
なお、上記タッチパネル付き表示装置１の用途については、特に限定されるものではなく、例えば、複写機（複合機）、プリンタなどのＯＡ機器のタッチ操作パネルや、車載のタッチ操作パネルなどの適用可能な用途に対して、このタッチパネル付き表示装置１を幅広く使用することが可能である。
【符号の説明】
【００３５】
１…タッチパネル付き表示装置  ２…表示パネル  ３…タッチパネル  ４…正面側ケース  ５…背面側ケース  ６…振動素子  ７…制御基板  ８…防振機構  ９…クッション材  １０…接着材  １１…本体ケース  １２…振動板  １３…ケーブル  １４…弾性板  １５…第１の固定部  １６ａ，１６ｂ…第２の固定部
【図１】
2019204201.tif 000003
【図２】
2019204201.tif 000004
【図３】
2019204201.tif 000005